(57)【要約】【課題】振動吸収機能が高く、管保持部が取付部から分離しない振動吸収クランプ。【解決手段】振動吸収クランプ１Ａは、硬質樹脂の取付部２と、別体の硬質樹脂の管保持部３と、取付部の壁部と管保持部の壁部間の連結手段を充填する軟質樹脂材料の振動吸収材５とから成る。連結手段は、係止部１９とアーム２２とで成り、係止部とアームとは、管保持部と取付部とが壁部に対して直交する方向にも平行な方向にも取外されるのを防止する形状であり、係止部はアームに接触しないように受入れられて、振動吸収材５が係止部とアームとを包囲して充填される。【選択図】図２０
2007332999.tif 000002
【特許請求の範囲】
【請求項１】
車体等の被取付部材に固定される硬質樹脂の取付部と、管等の長尺部材を保持する硬質樹脂の管保持部と、前記取付部と前記管保持部の間に設けられた軟質樹脂材料の振動吸収材とから成る、管等の振動吸収クランプにおいて、
前記管保持部と前記取付部とは別部品で形成され、該管保持部と取付部とは、壁部において間隔をおいて対面するように配置され、管保持部の前記壁部と取付部の前記壁部のそれぞれには、該管保持部及び取付部を相互に連結する連結手段が形成されており、該連結手段の一方は、前記壁部の一方から前記壁部の他方に向けて延び且つ該一方の壁部の壁面から間隔をおいて平行に延び出る係止部として形成され、前記連結手段の他方は、前記他方の壁部から前記一方の壁部に向けて延び且つ前記係止部の一部を受入れて保持する空所を有するアームとして形成され、前記係止部の一部は前記空所内に配置されて管保持部と取付部とを相互に連結しており、前記係止部と前記アームとは、前記管保持部と前記取付部とが前記壁部に対して直交する方向にも平行な方向にも取外されるのを防止するように該係止部が前記アームの空所から抜け出せない形状に形成され、前記空所は、前記係止部の一部を前記アームに接触しないように受入れる大きさと形状に形成され、前記振動吸収材は、前記係止部が前記アームに接触しないように配置された状態で該係止部と該アームとを包囲して前記管保持部の壁部と前記取付部の壁部との間に充填されており、前記係止部と前記アームとは、直接接触しないように前記振動吸収材を間にして連結されている、
ことを特徴とする振動吸収クランプ。
【請求項２】
請求項１に記載の振動吸収クランプにおいて、前記係止部は、前記一方の壁部の壁面から前記他方の壁部に向けて延びる第１板状部と該第１板状部から前記一方の壁部の壁面と平行に拡がる第２板状部とから形成され、前記アームは、前記他方の壁部の壁面に相互に間隔をおいて平行に形成された一対のＣ形状のアームで成り、前記第２板状部の一部が前記Ｃアームの空所に収容され、前記管保持部と前記取付部とが壁部に対して直交する方向にも平行な方向にも取外されるのを防止している、ことを特徴とする振動吸収クランプ。
【請求項３】
請求項２に記載の振動吸収クランプにおいて、前記係止部の前記第１板状部は、前記一方の壁部に相互に間隔をおいて平行に位置し且つその壁面から一定高さを持つ一対の板状体で成り、前記第２板状部は、前記一対の板状体の前記一定高さ方向の側縁に形成された十字形状に拡がる板状体である、ことを特徴とする振動吸収クランプ。
【請求項４】
請求項１〜３のいずれか１項に記載の振動吸収クランプにおいて、前記取付部には、前記管保持部とは別の、第２の管保持部が一体成形されている、ことを特徴とする振動吸収クランプ。
【請求項５】
請求項１〜４のいずれか１項に記載の振動吸収クランプにおいて、前記管保持部と前記取付部とは、スライド構造の金型によって前記係止部が前記アームの空所に収容された状態で一度に成形される、ことを特徴とする振動吸収クランプ。
【請求項６】
請求項５に記載の振動吸収クランプにおいて、前記管保持部と前記取付部の成形後、該管保持部及び取付部が、前記係止部が前記アームに接触しないように前記空所内に受入れられて保持された状態で、前記振動吸収材が前記一方の壁部と前記他方の壁部の間に充填される、ことを特徴とする振動吸収クランプ。
【請求項７】
請求項６に記載の振動吸収クランプにおいて、前記振動吸収材は、エラストマー等の軟質樹脂材料で成り、２色成形又はインサート成形によって前記一方の壁部と前記他方の壁部の間に充填される、ことを特徴とする振動吸収クランプ。
【発明の詳細な説明】
【技術分野】
【０００１】
本発明は、管やワイヤハーネス等の長尺部材を車体等の被取付部材に保持するための管等を保持するクランプに関し、特に、管等の長尺部材からの振動を車体等の被取付部材に伝えないようにし、あるいは車体等の被取付部材からの振動を管等の長尺部材に伝えないようにする、管等の振動吸収クランプに関する。
【背景技術】
【０００２】
管やワイヤハーネス等の長尺部材を車体等の被取付部材に保持し、管等の長尺部材からの振動を車体等の被取付部材に伝えないようにし、あるいは車体等の被取付部材からの振動を管等の長尺部材に伝えないようにする、管等の振動吸収クランプは知られている。代表的な振動吸収クランプは、管保持部に軟質樹脂材料で成る振動吸収材を配置して管保持部と管等との間の振動を吸収する。
【０００３】
特開平９−２５０５１７号公報（特許文献１）は、管等の長尺部材からの振動を車体等の被取付部材に伝えないようにし、あるいは、車体等の被取付部材からの振動を管等の長尺部材に伝えないようにする、管等の振動吸収クランプを開示している。振動吸収クランプは、管等を保持する硬質の樹脂材料で成る管保持部と、管保持部をボデーパネルに連結する金属製のボデー装着部と、ボデー装着部をボデーに固着するスタッドボルトとを備えている。そして、管保持部とボデー装着部の間及びボデー装着部とボデーの間のそれぞれに、軟質樹脂で成る振動減衰材料を設けて振動吸収機能を果たしている。
【０００４】
特開２００１−３４３００６号公報（特許文献２）は、管等の長尺部材からの振動を車体等の被取付部材に伝えないようにし、あるいは、車体等の被取付部材からの振動を管等の長尺部材に伝えないようにする、管等の振動吸収クランプを開示している。振動吸収クランプは、管等を保持する硬質の樹脂材料で成る管保持部と、管保持部を支持する硬質の樹脂材料で成る基部とを別々の部品として分離し、基部と管保持部との間に、振動吸収材料を設けて振動吸収機能を果たしている。
【０００５】
特開２００１−３４３０８９号公報（特許文献３）は、管等の長尺部材からの振動を車体等の被取付部材に伝えないようにし、あるいは、車体等の被取付部材からの振動を管等の長尺部材に伝えないようにする、管等の振動吸収クランプを開示している。振動吸収クランプは、管等を保持する硬質の樹脂材料で成るカバー付きの管保持部と、管保持部を支持する硬質の樹脂材料で成る取付部とを別々の部品として分離し、管保持部の内側に振動吸収材を設けカバーにも振動吸収材を設けて管等を包囲して保持するとともに、管保持部と取付部との間の連結部分も振動吸収材を設けて振動吸収機能を果たしている。
【０００６】
【特許文献１】特開平９−２５０５１７号公報
【特許文献２】特開２００１−３４３００６号公報
【特許文献３】特開２００１−３４３０８９号公報
【発明の開示】
【発明が解決しようとする課題】
【０００７】
特許文献１に記載の振動吸収クランプは、金属製ボデー装着部を必要としているので、部品点数が多くなる。また、金属製ボデー装着部そのものに振動吸収機能はなく、スタッドボルトによって組付けられるボデーとの間の振動吸収機能に改良の余地がある。特許文献２のクランプは、管保持部と基部とが完全に分離し、管保持部と基部との間にはエラストマー樹脂で成る振動吸収材が充填されているので、振動吸収効果は高いが、管保持部と基部とは分離しているので、管を保持した管保持部に、基部に対して管の長手方向に抜け出る力が加わると、管保持部が基部から分離する虞れが残っている。特許文献３に記載のクランプも、管保持部において管の全周を振動吸収材が包囲する構成であるので、振動吸収効果は高いが、管保持部と取付部とは分離しており、管保持部と取付部との連結手段は取付部に対して管保持部を引き離す方向には強い連結力を有すると考えられものの、管を保持した管保持部に管の長手方向に抜け出る力が加わると、管保持部が取付部から分離する虞れが残っている。
【０００８】
従って、本発明の目的は、高い振動吸収機能を得るとともに、管等の長尺部材を保持した管保持部に、取付部から引き離す方向に力が加わっても管の長手方向に沿ってずらす力が加わっても、管保持部との連結が外れず、管保持部が取付部から分離するのを防止する振動吸収クランプを提供することにある。
【課題を解決するための手段】
【０００９】
かかる目的を達成するため、本発明は、車体等の被取付部材に固定される硬質樹脂の取付部と、管等の長尺部材を保持する硬質樹脂の管保持部と、取付部と管保持部の間に設けられた軟質樹脂材料の振動吸収材とから成る、管等の振動吸収クランプを提供する。本発明の振動吸収クランプでは、管保持部と取付部とが別部品で形成され、管保持部と取付部とは、壁部において間隔をおいて対面するように配置され、管保持部の壁部と取付部の壁部のそれぞれには、管保持部及び取付部を相互に連結する連結手段が形成されており、連結手段の一方は、壁部の一方から壁部の他方に向けて延び且つ一方の壁部の壁面から間隔をおいて平行に延び出る係止部として形成され、連結手段の他方は、他方の壁部から一方の壁部に向けて延び且つ係止部の一部を受入れて保持する空所を有するアームとして形成され、係止部の一部は空所内に配置されて管保持部と取付部とを相互に連結している。係止部とアームとは、管保持部と取付部とが壁部に対して直交する方向にも平行な方向にも取外されるのを防止するように係止部がアームの空所から抜け出せない形状に形成され、空所は、係止部の一部をアームに接触しないように受入れる大きさと形状に形成され、振動吸収材は、係止部がアームに接触しないように配置された状態で係止部とアームとを包囲して管保持部の壁部と取付部の壁部との間に充填されており、係止部とアームとは、直接接触しないように振動吸収材を間にして連結されている、ことを特徴とする。
【００１０】
かかる振動吸収クランプにおいて、振動吸収材は、係止部がアームに接触しないように配置された状態で係止部とアームとを包囲して管保持部の壁部と取付部の壁部との間に充填され、係止部とアームとは直接接触しないように振動吸収材を間にして連結されているので、管等の長尺部材からの振動を車体等の被取付部材に伝えないようにし、あるいは、車体等の被取付部材からの振動を管等の長尺部材に伝えないようにする振動吸収効果は高く、また、係止部とアームとは、管保持部と取付部とが壁部に対して直交する方向にも平行な方向にも取外されるのを防止するように係止部がアームの空所から抜け出せない形状に形成されているので、また、長尺部材を保持した管保持部に、壁部に直交する方向の、取付部から引き離す方向に力が加わっても、長尺部材の長手方向に沿った、取付部からずらす力が加わっても、硬質樹脂の係止部が硬質樹脂のアームに係止して管保持部が取付部から外れるのを防止できる。
【００１１】
上記振動吸収クランプにおいて、係止部は、一方の壁部の壁面から他方の壁部に向けて延びる第１板状部と、第１板状部から一方の壁部の壁面と平行に拡がる第２板状部とから形成され、アームは、他方の壁部の壁面に相互に間隔をおいて平行に形成された一対のＣ形状のアームで成り、第２板状部の一部がＣアームの空所に収容され、管保持部と取付部とが壁部に対して直交する方向にも平行な方向にも取外されるのを防止している。係止部の第１板状部は、一方の壁部に相互に間隔をおいて平行に位置し且つその壁面から一定高さを持つ一対の板状体で成り、第２板状部は、一対の板状体の一定高さ方向の側縁に形成された十字形状に拡がる板状体である。なお、取付部には、管保持部とは別の、第２の管保持部が一体成形されていてもよい。
【００１２】
上記振動吸収クランプにおいて、管保持部と取付部とは、スライド構造の金型によって係止部がアームの空所に収容された状態で一度に成形されるのが好ましい。次に、管保持部と取付部の成形後、管保持部及び取付部が、係止部がアームに接触しないように空所内に受入れられて保持された状態で、振動吸収材が一方の壁部と他方の壁部の間に充填されるのが好ましい。振動吸収材は、エラストマー等の軟質樹脂材料で成り、２色成形又はインサート成形によって一方の壁部と他方の壁部の間に充填されるのが好ましい。
【発明を実施するための最良の形態】
【００１３】
以下、本発明の１実施形態に係る、燃料管やブレーキ油管等の管あるいはワイヤハーネス等の長尺部材の振動吸収クランプについて、図面を参照しながら説明する。図１〜図７は、振動吸収材が充填されていない、一次成形品であるクランプ１を示している。図８〜図１１は、一次成形品であるクランプ１の一の部品である取付部２を示している。図１２〜図１５は、一次成形品であるクランプ１の他の部品である管保持部３を示している。図１６〜図２０は、取付部２と管保持部３が連結された一次成形品のクランプ１に、振動吸収材５が成形によって充填された二次成形品（最終品）である、本発明の１実施形態に係る管等の振動吸収クランプ１Ａを示している。図２１は、長尺部材としての燃料管やブレーキ油管等の複数の管６Ａ及び６Ｂ並びに７Ａ及び７Ｂが、振動吸収クランプ１Ａによって保持されて、ボデーパネル等の被取付部材９に取付けられた状態を示している。
【００１４】
図１〜図１５を参照して、振動吸収材が充填されていない、一次成形品のクランプ１全体、取付部２及び管保持部３について説明する。一次成形品のクランプ１は、車体等の被取付部材に固定される硬質樹脂の取付部２と、取付部２とは別部品で形成されて、管等の長尺部材を保持する硬質樹脂の管保持部３とから構成される。取付部２と管保持部３は、取付部２の立ち上がり壁部１０と管保持部３の立ち上がり壁部１１が間隔をおいて対面するように配置されている。取付部２の壁部１０と管保持部３の壁部１１のそれぞれには、管保持部３及び取付部２を相互に連結する連結手段が形成され、取付部２と管保持部３とを、壁部１０及び１１に対して直交する方向にも平行な方向にも取外しできないように連結する。かかる連結手段の詳細については、後述する。管保持部３は、保持した管等の長尺部材からの振動を取付部２に伝えないようにし、あるいは、車体等の被取付部材に取付けられた取付部２からの振動を保持した長尺部材に伝えないようにするものである。図示の実施形態において、取付部２には第２の管保持部１３が一体成形されており、第２管保持部１３には、振動吸収を必要としない管等の長尺部材が保持される。かかる第２管保持部１３は必須ではない。
【００１５】
取付部２は、車体等の被取付部材に固定するための固定部としてのスタッド固定部１４を包含し、図示の例では、管保持部３に対面する壁部１０に隣接して設けられている。被取付部材への固定手段としては、スタッド固定部１４以外のものでもよく、例えば、被取付部材の取付穴に挿入して係合する錨脚形クリップであってもよい。また、管保持部３及び第２管保持部１３は、燃料管やブレーキ油管等の種々の管を保持するように種々の大きさと形状に形成され、管保持部の管保持部分の数及び形状も、保持する管等に合わせて任意に設計できる。管保持部３及び第２管保持部１３の管保持部分のそれぞれは、管等の長尺部材を収容する収容部１５と、収容部１５に長尺部材を押込んで収容できるがその抜出しを阻止する弾性ウィング１７とを包含する。弾性ウィング１７は、上端から湾曲底面に斜めに延びた板状体で形成され、先端が、収容部１５に配置された管等の長尺部材の側面に当接して、収容部１５からの抜出しを阻止する。取付部２のスタッド固定部１４は、中央にスタッドを受入れるよう中空に形成され、上端側からは、スタッドのねじ又は周溝に係合する２対の係止爪１８が下方に且つ中央に向けて延びている。スタッド固定部１４の中空部分に挿入されたスタッドのねじ又は周溝は係止爪１８に係合することによって、取付部２が、スタッドが固着された被取付部材に取付けられる。
【００１６】
取付部２と管保持部３を連結する連結手段について説明する。連結手段の一方は、管保持部３の壁部１１から取付部２の壁部１０に向けて延び且つ壁部１１の壁面から一定の高さ（すなわち該壁面から一定の間隔）をもって壁部１１の壁面に平行に延びる係止部１９として形成される。連結手段の他方は、取付部２の壁部１０から壁部１１に向けて延び且つ係止部１９の一部を受入れて保持する空所２１を有するアーム２２として形成される。
【００１７】
更に詳細には、係止部１９は、壁部１１の壁面から壁部１０に向けて一定高さをもって且つ壁部１１の壁面に平行に延びる、細長い第１板状部２３と、第１板状部２３から壁部１１の壁面と平行な方向に拡がる第２板状部２５とから形成される。第１板状部２３は、壁部１１に相互に間隔をおいて平行に位置し且つ壁部１１の壁面から一定高さを持つ細長い、一対の板状体で成る。第２板状部２５は、第１板状部２３の前記一定高さ方向の側縁（すなわち壁部１０に対面する側縁）に一体に形成された十字形状に拡がる板状体である（図１５）。アーム２２は、壁部１０の壁面に相互に間隔をおいて平行に一体に形成された、一対のＣ形状のアーム２２で成る。係止部１９の第２板状部２５の水平方向の両端部２６（図１５）は、Ｃアーム２２の空所２１に収容され、その大きさと形状は、管保持部３と取付部２とが壁部１０及び壁部１１に対して直交する方向にも平行な方向にも取外されるのを防止するように形成されている。また、アーム２２の空所２１は、係止部１９の第２板状部２５の端部２６をアームに接触しないように受入れる大きさと形状に形成されている。また、前記第２板状部２５の十字形状は、Ｃアーム２２の空所２１に収容された場合に、壁部１０及び壁部１１に対して直交する方向にも平行な方向にも取外されるのを防止するのに適合している。
【００１８】
上記のように、図１〜図７に示す一次成形品のクランプ１の場合、取付部２と管保持部３とは、がたがたと動く状態ではあるが取外しできない状態に連結されている。この連結状態を得るため、管保持部３と取付部２とは、スライド構造の金型によって係止部１９の第２板状部２５の端部２６がアーム２２の空所２１に収容された状態で金型によって一度に成形される。このようにして、係止部１９はアーム２２に連結され、管保持部３と取付部２とが相互に連結され、管保持部３と取付部２とは、壁部１０、１１に対して直交する方向にも平行な方向にも取外されるのが防止される。そして、アーム２２の空所２１は、係止部１９の第２板状部２５の端部２６をアーム２２接触しないように受入れる大きさと形状に形成されているので、硬質樹脂製の管保持部３が硬質樹脂製の取付部２に直接接触しない状態に保持できる。
【００１９】
図１６〜図２０に示す、二次成形品（最終成形品）である、本発明の１実施形態に係る管等の振動吸収クランプ１Ａを得るには、管保持部３及び取付部２が、係止部１９の第２板状部２５の端部２６がアーム２２に接触しないように空所２１内に受入れられて保持された状態（図１〜３及び図６、７参照）で、振動吸収材５が壁部１０と壁部１１の間に充填される。振動吸収材は、エラストマー等の軟質樹脂材料で成る。振動吸収材は、図１、図２等の状態を保つように金型の中で保持され、２色成形又はインサート成形によって壁部１０と壁部１１の間に充填される。金型の中に注入された振動吸収材５は、係止部１９とアーム２２とを包囲し且つ空所２１を満たして管保持部３の壁部１１と取付部２の壁部１０との間に充填される。これによって、係止部１９とアーム２２とは、直接接触しないように振動吸収材を間にして連結され、管保持部３は取付部２に振動吸収材５を間にして連結される。従って、管等の長尺部材からの振動を管保持部３から取付部２に伝えないようにし、あるいは、車体等の被取付部材に取付けられう取付部２からの振動を管保持部３に伝えないようにする振動吸収効果は高い。また、管等の長尺部材を保持した管保持部３に、壁部１０、１１に直交する方向の、取付部２から引き離す方向に力が加わっても、管等の長手方向の、取付部２からずらす力が加わっても、剛性のある硬質樹脂の係止部１９が硬質樹脂のアーム２２に係止するので管保持部３が取付部２から外されず、管保持部３が取付部２から分離するのが防止できる。例えば、管保持部３に、壁部１０、１１に直交する方向の、取付部２に対して引き離す方向に力が加わった場合、係止部１９の第２板状部２５の端部２６は、振動吸収材５を押圧してＣアーム２２に係合してそれ以上の引き離しを阻止する、また、管保持部３に、保持した管等から、その長手方向の取付部２に対してずらす力が加わっても、係止部１９の第２板状部２５の端部２６がＣアーム２２の空所２１にあるので、十字形状の第２板状部２５はＣアーム２２との間の振動吸収材５を押圧した後それ以上の管長手方向の移動を阻止する。
【００２０】
なお、係止部１９とアーム２２の形状と連結構造は、取付部２と管保持部３が壁部１０及び１１に対して直交する方向にも平行な方向にも取外されるのを防止できアーム２２の空所２１が係止部１９の一部をアーム２２に接触しないように受入れる大きさと形状である限り、任意に設計きる。
【００２１】
図２１、振動吸収クランプ１Ａを用いて、管保持部３に、振動のある管６Ａ、６Ｂを保持させ、第２管保持部１３には、振動の殆どない管７Ａ、７Ｂを保持させて、ボデーパネル等の被取付部材９に保持した様子を示している。被取付部材９には、スタッドボルト等のスタッド２７が立設されて、取付部２のスタッド固定部１４がそのスタッド２７に係合することによって、振動吸収クランプ１Ａが被取付部材９に保持される。振動吸収クランプ１Ａにおいて、管６Ａ、６Ｂは、管保持部３の管保持部分に保持され、取付部２との間には振動吸収材５が介在しているので、管６Ａ、６Ｂの振動は取付部２へ殆ど伝達されることはない。同様に、取付部２からの振動も管６Ａ、６Ｂへは殆ど伝達されず、高い振動吸収機能を得ることができる。そして、管保持部３に壁部１０、１１に直交する方向の、取付部２から引き離す方向に力が加わっても、管保持部３に、取付部２に対して管等の長手方向のずらす力が加わっても、剛性のある硬質樹脂の係止部１９が硬質樹脂のアーム２２に係止するので、管保持部３が取付部２から外されず、管保持部３が取付部２から分離するのが防止できる。
【図面の簡単な説明】
【００２２】
【図１】本発明の１実施形態に係る、振動吸収材を充填する前のクランプの平面図である。
【図２】図１のクランプの正面図である。
【図３】図２のクランプの底面図である。
【図４】図２のクランプの左側面図である。
【図５】図２のクランプの右側面図である。
【図６】図１のクランプのＡ−Ａ線断面図である。
【図７】図２のクランプのＢ−Ｂ線断面図である。
【図８】図１のクランプの取付部の平面図である。
【図９】図８の取付部の正面図である。
【図１０】図９の取付部の底面図である。
【図１１】図９の取付部の右側面図である。
【図１２】図１のクランプの管保持部の平面図である。
【図１３】図１２の管保持部の正面図である。
【図１４】図１３の管保持部の底面図である。
【図１５】図１３の管保持部の左側面図である。
【図１６】図１のクランプに振動吸収材を充填した後の、本発明の１実施形態に係る振動吸収クランプの平面図である。
【図１７】図１６の振動吸収クランプの正面図である。
【図１８】図１７の振動吸収クランプの底面図である。
【図１９】図１６の振動吸収クランプのＣ−Ｃ線断面図である。
【図２０】図１７の振動吸収クランプのＤ−Ｄ線断面図である。
【図２１】図１３の振動吸収クランプを用いて複数の管を被取付部材に保持した状態を示す振動吸収クランプの正面図である。
【符号の説明】
【００２３】
１  振動吸収材のない（一次成形品）クランプ
１Ａ  振動吸収クランプ
２  取付部
３  管保持部
５  振動吸収材
６Ａ、６Ｂ  振動のある管
７Ａ、７Ｂ  管
９  被取付部材
１０  取付部の壁部
１１  管保持部の壁部
１３  第２管保持部
１４  スタッド固定部
１５  収容部
１７  ウィング側壁
１８  係止爪
１９  係止部
２１  空所
２２  アーム
２３  第１板状部
２５  第２板状部
２６  第２板状部の端部
２７  スタッド
【図１】
2007332999.tif 000003
【図２】
2007332999.tif 000004
【図３】
2007332999.tif 000005
【図４】
2007332999.tif 000006
【図５】
2007332999.tif 000007
【図６】
2007332999.tif 000008
【図７】
2007332999.tif 000009
【図８】
2007332999.tif 000010
【図９】
2007332999.tif 000011
【図１０】
2007332999.tif 000012
【図１１】
2007332999.tif 000013
【図１２】
2007332999.tif 000014
【図１３】
2007332999.tif 000015
【図１４】
2007332999.tif 000016
【図１５】
2007332999.tif 000017
【図１６】
2007332999.tif 000018
【図１７】
2007332999.tif 000019
【図１８】
2007332999.tif 000020
【図１９】
2007332999.tif 000021
【図２０】
2007332999.tif 000022
【図２１】
2007332999.tif 000023